(57)【要約】【課題】本発明は、電池収納体の端子棒をスプリングを介して設けることにより、電池との電気的接続を良好とすると共に、電池の取り出しを容易化することを目的とする。【解決手段】本発明による正極及び負極同一面配置型電池の収納ボックス構造は、電池収納体(1)の端子棒(23)をスプリング(22)を介して作動自在とし、この電池収納体(1)を取付けた取付体(10)の開口(12)にカバー体(50)を着脱自在とし、電池(2)と端子棒(23)の接続を確実化し、かつ、電池(2)の取り出しを容易化する構成である。【選択図】図１
2005203138.tif 000002
【特許請求の範囲】
【請求項１】
開口(12)を有する取付体(10)に設けられた電池収納体(1)と、前記電池収納体(1)の後壁(14)に形成された１対の貫通孔(21)と、前記各貫通孔(21)にスプリング(22)を介して作動自在に設けられた１対の端子棒(23)と、前記各端子棒(23)の内端(23a)に形成された頭部(30)と、前記各端子棒(23)の外端(23b)に形成されたリード線接続部(32)と、前記開口(12)に形成された段部(11)と、前記段部(11)に着脱自在に設けられたカバー体(50)とよりなり、前記電池収納体(1)内に電池(2)を収納して前記カバー体(50)を前記段部(11)に装着した場合、前記スプリング(22)が圧縮された状態となるように構成したことを特徴とする正極及び負極同一面配置型電池の収納ボックス構造。
【請求項２】
前記貫通孔(21)に形成された孔段部(20)には、前記スプリング(22)が位置し、前記リード線接続部(32)にはねじ(31)が形成されていることを特徴とする請求項１記載の正極及び負極同一面配置型電池の収納ボックス構造。
【請求項３】
前記カバー体(50)を前記電池収納体(1)から除去した場合、前記電池(2)の一部が前記開口(12)から押し出されるように構成したことを特徴とする請求項１又は２記載の正極及び負極同一面配置型電池の収納ボックス構造。
【請求項４】
前記頭部(30)は前記端子棒(23)に対して着脱自在とし、交換できる構成としたことを特徴とする請求項１ないし３の何れかに記載の正極及び負極同一面配置型電池の収納ボックス構造。
【発明の詳細な説明】
【技術分野】
【０００１】
本発明は、正極及び負極同一面配置型電池の収納ボックス構造に関し、特に、電池収納体の各端子棒をスプリングを介して作動自在とし、この端子棒の頭部を電池に接触させ、カバー体を除去することによりスプリングの作用によって電池の一部が電池収納体から押し出されて電池の交換を容易とするための新規な改良に関する。
【背景技術】
【０００２】
従来、正極に負極が互いに反する面にある電池収納ボックス構造としては、その構造を示す特許文献等は示していないが、一般に、図４で示される構成が採用されていた。
すなわち、図４において符号１で示されるものは電池２を収納するための電池収納体であり、この電池収納体１の両端には正電極３と負電極４とが形成されている。
前記負電極４は、つる巻きばねで形成されている。
【発明の開示】
【発明が解決しようとする課題】
【０００３】
従来の電池収納ボックス構造は以上のように構成されていたため、次のような課題が存在していた。
すなわち、正極及び負極が同一面に配置されている電池（ＣＲ−Ｐ２型電池）は、正極と負極が同一面にある形状のため、前述の従来構成の構造とすることができない。
また、電極がばねであるため、電池の負電極との接触面積が少なく電気的導通が良好ではない。
【課題を解決するための手段】
【０００４】
本発明による正極及び負極同一面配置型電池の収納ボックス構造は、開口を有する取付体に設けられた電池収納体と、前記電池収納体の後壁に形成された１対の貫通孔と、前記各貫通孔にスプリングを介して作動自在に設けられた１対の端子棒と、前記各端子棒の内端に形成された頭部と、前記各端子棒の外端に形成されたリード線接続部と、前記開口に形成された段部と、前記段部に着脱自在に設けられたカバー体とよりなり、前記電池収納体内に電池を収納して前記カバー体を前記段部に装着した場合、前記スプリングが圧縮された状態となるようにした構成であり、また、前記貫通孔に形成された孔段部には、前記スプリングが位置し、前記リード線接続部にはねじが形成されている構成であり、また、前記カバー体を前記電池収納体から除去した場合、前記電池の一部が前記開口から押し出されるようにした構成であり、また、前記頭部は前記端子棒に対して着脱自在とし、交換できる構成である。
【発明の効果】
【０００５】
本発明による正極及び負極同一面配置型電池の収納ボックス構造は、以上のように構成されているため、次のような効果を得ることができる。
すなわち、正極及び負極同一面配置型の電池収納時、電池収納体に設けられた端子棒がスプリングにより、電池の端子部に押しつけられる状態となるため、電池との接触が良好で、接触不良を防止でき、かつ、このスプリングのばね力により、カバー体を除去すると電池の一部が開口から押し出され電池の交換が容易である。
また、頭部の交換により電池の電極に合わせた最適の形状とすることができる。
【発明を実施するための最良の形態】
【０００６】
本発明は、電池収納体に設けられた端子棒をスプリングにより作動自在とし、開口にカバー体が着脱自在に設けられていることにより、正極及び負極同一面配置型電池の装着及び取出しが容易で、電極接触を確実化することを目的とする。
【実施例】
【０００７】
以下、図面と共に本発明による正極及び負極同一面配置型電池の収納ボックス構造の好適な実施の形態について説明する。
尚、従来例と同一又は同等部分については同一符号を付して説明する。
図１において符号１０で示されるものは段部１１を有する開口１２を備えた箱形状の取付体であり、この取付体１０の内面には全体形状が箱形をなす電池収納体１が取付ねじ１３で取付られている。
【０００８】
前記電池収納体１の着脱自在な後壁１４には、孔段部２０を有する貫通孔２１が一対形成されている。
前記各貫通孔２１内には、スプリング２２を介して端子棒２３が軸方向に沿って作動自在に設けられている。
【０００９】
前記端子棒２３は、図３で拡大して示されるように構成されており、その内端２３ａにはこの端子棒２３の直径よりも大径の頭部３０が一体に形成され、その外端２３ｂにはねじ３１からなるリード線接続部３２が形成されている。
前記リード線接続部３２は、ねじ３１に限ることなく、他の構造も可である。
【００１０】
前記端子棒２３のスプリング２２の内径は、端子棒２３の外径よりも十分に大に設定されており、前記ねじ３１には複数のナット３５が螺合されている。
前記各ナット３５間には、リード線４０が接続された圧着端子４１が挟持されていることにより、リード線４０と端子棒２３が接続されている。尚、前記各端子棒２３及び各頭部３０は従来に対応した正電極３と負電極４を構成している。
【００１１】
前記電池収納体１の内部には、前記各端子棒２３及び頭部３０に対応する正極及び負極同一面配置型の電池２（周知の例えば、ＣＲ−Ｐ２型の市販品）を収納するための収納空間４５が形成されており、前記開口１２の段部１１にはカバー体５０が着脱自在に設けられている。
前記各端子棒２３の各頭部３０は、各端子棒２３に対して一体でも可であるが、着脱自在とし、収納する電池２の電極形状に合わせて最適となるような形状のものと交換できるように構成することもできる。
【００１２】
次に、図１の状態で収納空間４５内に電池２を挿入して装着した後、ゴム板５１を有するカバー体５０を開口１２の段部１１に取り付けることにより、図２で示されるように、電池２によって各端子棒２３が奥側へ押入されスプリング２２が圧縮された状態となる。
【００１３】
前述の電池２の装着が終了した後、電池２を取り出す場合には、前記カバー体５０を開口１２から除去することにより、圧縮された各スプリング２２のバネ力によって電池２が外方へ押され、電池２の一部が開口１２から飛び出し、電池２が容易に手で取り出すことができる。
【産業上の利用可能性】
【００１４】
本発明は、電池だけではなく、カートリッジ状の電子ユニット等へ適用が可である。
【図面の簡単な説明】
【００１５】
【図１】本発明による正極及び負極同一面配置型電池の収納ボックス構造を示す分解断面構成図である。
【図２】図１の電池を収納した状態を示す断面構成図である。
【図３】図１の端子棒を示す分解図である。
【図４】従来構成を示す分解図である。
【符号の説明】
【００１６】
１    電池収納体
２    電池（正極及び負極同一面配置型）
１０    取付体
１１    段部
１４    後壁
２０    孔段部
２１    貫通孔
２２    スプリング
２３    端子棒
２３ａ    内端
２３ｂ    外端
３０    頭部
３１    ねじ
３２    リード線接続部
４０    リード線
５０    カバー体
【図１】
2005203138.tif 000003
【図２】
2005203138.tif 000004
【図３】
2005203138.tif 000005
【図４】
2005203138.tif 000006